(57)【要約】      （修正有）【課題】Ｘ線画像診断装置において、リアルタイム表示中に画像処理回路や画像データ記憶装置にエラーが発生した場合、再度の撮像を行なう結果、患者への余剰のＸ線被曝が余儀なくされること。【解決手段】Ｘ線画像診断装置１０は、投影データ記憶装置３１と、取得された投影データに対して一時的な画像処理を施して第１の画像データを生成する一次画像処理回路３２と、第１の画像データが画像データ記憶装置３４に記録されると、画像データ毎に削除許可通知を発生する削除許可通知発生部５２と、削除許可通知の対象画像の投影データを記憶装置３１から削除する投影データ削除制御部５３と、一次画像処理回路３２にエラーが発生した場合、回路３２を復旧する復旧処理部５４と、回路３２が復旧処理されると、回路３２に、記憶装置３１に所要時間以上記憶された投影データに画像処理を施して画像データを生成するように指示する画像処理指示部５５とを有する。【選択図】  図２
2008284090.tif 000002
【特許請求の範囲】
【請求項１】
被検体の所要部位を撮像して投影データを生成する撮像系と、
前記撮像系によって生成された前記投影データを記憶する投影データ記憶装置と、
前記投影データ記憶装置から前記投影データを取得し、前記投影データ記憶装置への記録の時系列に従って前記投影データに対して画像処理を施してフレーム単位の画像データを生成する画像処理回路と、
前記画像処理回路によって生成された前記画像データが前記画像データ記憶装置に記録されると、前記画像データ毎に削除許可通知を発生する削除許可通知発生部と、
前記削除許可通知発生部によって発生された前記削除許可通知の対象である画像データに相当する投影データの前記投影データ記憶装置からの削除を制御する投影データ削除制御部と、
前記画像処理回路にエラーが発生した場合、前記画像処理回路の復旧処理を行なう復旧処理部と、
前記復旧処理部によって前記画像処理回路が復旧処理されると、前記画像処理回路に、前記投影データ記憶装置に所要時間以上記憶された投影データに対して画像処理を施して前記画像データを生成するように指示する画像処理指示部と、
を有することを特徴とするＸ線画像診断装置。
【請求項２】
被検体の所要部位を撮像して投影データを生成する撮像系と、
前記撮像系によって生成された前記投影データを記憶する投影データ記憶装置と、
前記投影データ記憶装置から前記投影データを取得し、前記投影データ記憶装置への記録の時系列に従って前記投影データに対して画像処理を施してフレーム単位の画像データを生成する画像処理回路と、
前記画像処理回路によって生成された前記画像データが複数の画像データ記憶装置要素によって構成される画像データ記憶装置に記録されると、前記画像データ毎に削除許可通知を発生する削除許可通知発生部と、
前記削除許可通知発生部によって発生された前記削除許可通知の対象である画像データに相当する投影データの前記投影データ記憶装置からの削除を制御する投影データ削除制御部と、
前記画像データ記憶装置のうち主の画像データ記憶装置要素にエラーが発生した場合、前記主の画像データ記憶装置要素の復旧処理を行なう復旧処理部と、
前記復旧処理部によって前記主の画像データ記憶装置要素の復旧処理が完了するまでは、前記主の画像データ記憶装置要素以外の副の画像データ記憶装置要素に前記画像データを記録する一方、前記復旧処理部によって前記主の画像データ記憶装置要素の復旧処理が完了された後は、前記主の画像データ記憶装置要素に前記画像データを記録するように指示する画像記録指示部と、
を有することを特徴とするＸ線画像診断装置。
【請求項３】
前記画像処理回路は、オフセット補正、ゲイン補正、傷補正、ダイナミックレンジ処理及びノイズ除去処理を施すことで、前記画像データとしての第１の画像データを生成する一次画像処理回路として機能し、前記画像データ記憶装置から前記第１の画像データを取得し、前記第１の画像データに対して表示用の画像処理を施して第２の画像データを生成する二次画像処理回路をさらに有することを特徴とする請求項１及び２のうちいずれか一項に記載のＸ線画像診断装置。
【請求項４】
前記画像処理回路は、オフセット補正、ゲイン補正、傷補正、ダイナミックレンジ処理及びノイズ除去処理を施すことで、前記画像データとしての第１の画像データを生成すると共に、前記第１の画像データに対して表示用の画像処理を施して前記画像データとしての第２の画像データを生成する構成とすることを特徴とする請求項１及び２のうちいずれか一項に記載のＸ線画像診断装置。
【請求項５】
前記削除許可通知発生部は、前記画像データによって構成される一連のカット毎に削除許可通知を発生し、投影データ削除制御部は、前記削除許可通知発生部によって発生された前記削除許可通知の対象であるカットを構成する画像データに相当する投影データの前記投影データ記憶装置からの削除を制御する構成とすることを特徴とする請求項１及び２のうちいずれか一項に記載のＸ線画像診断装置。
【請求項６】
前記復旧処理部は、前記画像処理回路又は前記主の画像データ記憶装置要素にエラーが発生した場合、前記画像処理回路又は前記主の画像データ記憶装置要素の復旧処理を自動的に行なう構成とすることを特徴とする請求項１及び２のうちいずれか一項に記載のＸ線画像診断装置。
【請求項７】
前記画像処理指示部は、前記画像処理回路によって前記投影データ記憶装置に記録した時系列に従ってリアルタイムで前記画像データが生成されている間は、前記所要時間以上記憶された投影データから前記画像データを生成しない構成とすることを特徴とする請求項１に記載のＸ線画像診断装置。
【請求項８】
前記画像記録指示部は、ＲＡＩＤ（ｒｅｄｕｎｄａｎｔ  ａｒｒａｙｓ  ｏｆ  ｉｎｅｘｐｅｎｓｉｖｅ  ｄｉｓｋｓ）５の機能を有することを特徴とする請求項２に記載のＸ線画像診断装置。
【請求項９】
前記投影データ記憶装置は、メモリによって構成されることを特徴とする請求項１及び２のうちいずれか一項に記載のＸ線画像診断装置。
【請求項１０】
前記画像データ記憶装置は、ディスクによって構成されることを特徴とする請求項１及び２のうちいずれか一項に記載のＸ線画像診断装置。
【発明の詳細な説明】
【技術分野】
【０００１】
本発明は、Ｘ線を患者の所要部位に曝射しながら所要部位に関する時系列のＸ線画像を生成・表示するＸ線画像診断装置に関する。
【背景技術】
【０００２】
Ｘ線画像診断装置は、被検体（患者）の体内を透過したＸ線の強弱を濃淡画像として表示する画像装置であり、その種類は、診断・治療等の目的に応じて種々のものが存在する。透過したＸ線像を可視化する手法は、大きく分けて撮影と透視の二つの方法に分けられる。透視を利用したＸ線画像診断装置は、収集したＸ線画像をテレビジョンのモニタにリアルタイムに動画として表示することができ、即時性に優れている。また、撮影を利用したＸ線画像診断装置は、強度のＸ線照射によりフィルムに写し込まれたＸ線像を、高い空間分解能と鮮鋭度にて提供することが可能である。
【０００３】
本発明に関連する背景技術として、例えば、次の特許文献が開示されている。
【特許文献１】特開２００５−８７６３３号公報
【発明の開示】
【発明が解決しようとする課題】
【０００４】
しかしながら、従来のＸ線画像診断装置では、画像データの収集時に画像データ記憶装置に記録するまでの経路上（画像処理回路や画像データ記憶装置自体）にエラーが発生する場合を想定していない。よって、画像データ記憶装置に記録するまでの経路上に万一エラーが発生した場合、例えそのエラーが復旧処理にて復帰が可能であったとしても、経路上の画像データはリセット処理により消失してしまう。よって、復旧処理後、ユーザに画像データの再収集を促すことになり、患者へのＸ線の不要被爆につながる。
【０００５】
また、復旧処理をユーザの同意を得て実施する際は、検査を途中で中断させることになりユーザにストレスを与えることになる。仮に、自動的に復旧処理を行なうとしても、リセット中にＸ線を照射することができないので、丁度見たい時間の画像データが歯抜けになる可能性がある。
【０００６】
本発明は、上述した事情を考慮してなされたもので、リアルタイム表示中に画像処理回路や画像データ記憶装置にエラーが発生した場合でも、再度の撮像を行なう必要がなくなり、患者への余剰のＸ線被曝を防止することができるＸ線画像診断装置を提供することを目的とする。
【課題を解決するための手段】
【０００７】
本発明に係るＸ線画像診断装置は、上述した課題を解決するために、被検体の所要部位を撮像して投影データを生成する撮像系と、前記撮像系によって生成された前記投影データを記憶する投影データ記憶装置と、前記投影データ記憶装置から前記投影データを取得し、前記投影データ記憶装置への記録の時系列に従って前記投影データに対して画像処理を施してフレーム単位の画像データを生成する画像処理回路と、前記画像処理回路によって生成された前記画像データが前記画像データ記憶装置に記録されると、前記画像データ毎に削除許可通知を発生する削除許可通知発生部と、前記削除許可通知発生部によって発生された前記削除許可通知の対象である画像データに相当する投影データの前記投影データ記憶装置からの削除を制御する投影データ削除制御部と、前記画像処理回路にエラーが発生した場合、前記画像処理回路の復旧処理を行なう復旧処理部と、前記復旧処理部によって前記画像処理回路が復旧処理されると、前記画像処理回路に、前記投影データ記憶装置に所要時間以上記憶された投影データに対して画像処理を施して前記画像データを生成するように指示する画像処理指示部と、を有する。
【０００８】
本発明に係るＸ線画像診断装置は、上述した課題を解決するために、被検体の所要部位を撮像して投影データを生成する撮像系と、前記撮像系によって生成された前記投影データを記憶する投影データ記憶装置と、前記投影データ記憶装置から前記投影データを取得し、前記投影データ記憶装置への記録の時系列に従って前記投影データに対して画像処理を施してフレーム単位の画像データを生成する画像処理回路と、前記画像処理回路によって生成された前記画像データが複数の画像データ記憶装置要素によって構成される画像データ記憶装置に記録されると、前記画像データ毎に削除許可通知を発生する削除許可通知発生部と、前記削除許可通知発生部によって発生された前記削除許可通知の対象である画像データに相当する投影データの前記投影データ記憶装置からの削除を制御する投影データ削除制御部と、前記画像データ記憶装置のうち主の画像データ記憶装置要素にエラーが発生した場合、前記主の画像データ記憶装置要素の復旧処理を行なう復旧処理部と、前記復旧処理部によって前記主の画像データ記憶装置要素の復旧処理が完了するまでは、前記主の画像データ記憶装置要素以外の副の画像データ記憶装置要素に前記画像データを記録する一方、前記復旧処理部によって前記主の画像データ記憶装置要素の復旧処理が完了された後は、前記主の画像データ記憶装置要素に前記画像データを記録するように指示する画像記録指示部と、を有する。
【発明の効果】
【０００９】
本発明に係るＸ線画像診断装置によると、リアルタイム表示中に画像処理回路や画像データ記憶装置にエラーが発生した場合でも、再度の撮像を行なう必要がなくなり、患者への余剰のＸ線被曝を防止することができる。
【発明を実施するための最良の形態】
【００１０】
本発明に係るＸ線画像診断装置の実施形態について、添付図面を参照して説明する。
【００１１】
図１は、本発明に係るＸ線画像診断装置の第１実施形態のハードウェア構成を示す概略図である。
【００１２】
図１は、第１実施形態のＸ線画像診断装置１０を示す。Ｘ線画像診断装置１０は、大きくは、撮像系１１及びＤＦ（ｄｉｇｉｔａｌ  ｆｌｕｏｒｏｇｒａｐｈｙ）装置１２から構成される。
【００１３】
Ｃアーム構造の撮像系１１は、Ｘ線管２１、Ｘ線検出装置２２、Ｃアーム２３、天板（カテーテルテーブル）２５、高電圧供給装置２６及び駆動機構２７を設ける。なお、撮像系１１は、Ｘ線管２１が天板２５の上方に位置するオーバーチューブタイプである場合を説明するが、Ｘ線管２１が天板２５の下方に位置するアンダーチューブタイプである場合であってもよい。また、Ｘ線管２１のＸ線の出射側に、複数枚の鉛羽で構成されるＸ線照射野絞りや、シリコンゴム等で形成されハレーションを防止するために所定量の照射Ｘ線を減衰させる補償フィルタを設けてもよい。
【００１４】
Ｘ線管２１は、Ｃアーム２３の一端に設けられ、高電圧供給回路２６から高電圧電力の供給を受けて、この高電圧電力の条件に応じて被検体（患者）Ｐの所定部位に向かってＸ線を曝射する。Ｘ線管２１は、所定部位を撮影するための撮影Ｘ線や、所定部位を透視するための透視Ｘ線を曝射することができる。例えば、撮影Ｘ線は、Ｘ線管２１を管電圧１２０［ｋＶ］、管電流３００［ｍＡ］に制御することで曝射される一方、透視Ｘ線は、Ｘ線管２１を管電圧１２０［ｋＶ］、管電流１００［ｍＡ］に制御することで曝射される。
【００１５】
Ｘ線検出装置２２は、Ｃアーム２３の他端であってＸ線管２１の出射側に設けられ、患者Ｐの所要部位を透過したＸ線を検出する。Ｘ線検出装置２２は、Ｉ．Ｉ．（ｉｍａｇｅ  ｉｎｔｅｎｓｉｆｉｅｒ）−ＴＶ系であり、大きくは、Ｉ．Ｉ．２２ａ及びＴＶカメラ２２ｂを備える。
【００１６】
Ｉ．Ｉ．２２ａは、患者Ｐを透過したＸ線を可視光に変換し、さらに、光−電子−光変換の過程で輝度の倍増を行なって感度のよい投影データを形成させる。ＴＶカメラ２２ｂは、ＣＣＤ（ｃｈａｒｇｅ  ｃｏｕｐｌｅｄ  ｄｅｖｉｃｅ）撮像素子を用いて光学的な投影データを電気信号に変換する。
【００１７】
なお、Ｘ線検出装置２２は、平面検出器（ＦＰＤ：ｆｌａｔ  ｐａｎｅｌ  ｄｅｔｅｃｔｏｒ）を有するものであってもよい。Ｘ線検出装置２２が平面検出器を有する場合、Ｘ線検出装置２２は、２Ｄ状に配列された検出素子によりＸ線を検出して電気信号に変換する平面検出器としての２Ｄアレイ型Ｘ線検出器と、その２Ｄアレイ型Ｘ線検出器の各検出素子によって電気信号として検出されたＸ線検出データを収集するＤＡＳ（ｄａｔａ  ａｃｑｕｉｓｉｔｉｏｎ  ｓｙｓｔｅｍ）とによって構成される。
【００１８】
Ｃアーム２３は、その一端にＸ線管２１を、他端にＸ線検出装置２２を支持することで、Ｘ線管２１とＸ線検出装置２２とを、患者Ｐを中心に対向配置させる。Ｃアーム２３は、駆動機構２７によって、その移動量、移動タイミング及び移動速度が制御される。
【００１９】
天板２５は、患者Ｐを載置する。
【００２０】
高電圧供給装置２６は、ＤＦ装置１２の制御によって、Ｘ線管２１に高電圧電力を供給する。
【００２１】
駆動機構２７は、ＤＦ装置１２による制御に従って、Ｃアーム２３を円弧動（ＬＡＯ（ｌｅｆｔ  ａｎｔｅｒｉｏｒ  ｏｂｌｉｑｕｅ  ｖｉｅｗ）方向及びＲＡＯ（ｒｉｇｈｔ  ａｎｔｅｒｉｏｒ  ｏｂｌｉｑｕｅ  ｖｉｅｗ）方向の移動）させたり、Ｃアーム２３を回転動（ＣＲＡ（ｃｒａｎｉａｌ  ｖｉｅｗ）方向及びＣＡＵ（ｃａｕｄａｌ  ｖｉｅｗ）方向の移動）させたりする。駆動機構２７によってＣアーム２３の円弧動や回転動が制御されることによって、一方向の画像データを取得するＤＡ撮影や多方向の画像データを取得する回転ＤＡ撮影が実現される。
【００２２】
また、駆動機構２７は、ＤＦ装置１２による制御に従ってＣアーム２３を患者Ｐの体軸方向に対して平行移動させたり、Ｃアーム２３及び天板２５を一体として起倒させたりする。さらに、駆動機構２７は、Ｘ線管２１及びＸ線検出装置２２を患者Ｐの体軸方向に移動させて撮影するために、ＤＦ装置１２による制御に従ってＣアーム２３を患者Ｐの体軸方向に直線移動させる。加えて、駆動機構２７は、ＤＦ装置１２による制御に従って天板２５を上下方向、左右方向及び体軸方向に移動させる。
【００２３】
一方、ＤＦ装置１２は、コンピュータをベースとして構成されており、病院基幹のＬＡＮ（ｌｏｃａｌ  ａｒｅａ  ｎｅｔｗｏｒｋ）等のネットワークＮと相互通信可能である。ＤＦ装置１２は、大きくは、Ａ／Ｄ（ａｎａｌｏｇ  ｔｏ  ｄｉｇｉｔａｌ）変換回路４１、投影データ記憶装置３１、一次画像処理回路３２、画像データ記録回路３３、画像データ記憶装置（ストレージ）３４、二次画像処理回路３５、表示装置３６、ＣＰＵ（ｃｅｎｔｒａｌ  ｐｒｏｃｅｓｓｉｎｇ  ｕｎｉｔ）４１、包括メモリ４２、ＨＤ（ｈａｒｄ  ｄｉｓｃ）４３、入力装置４４、通信制御装置４５及びシステム制御装置４６等のハードウェアから構成される。ＣＰＵ４１は、共通信号伝送路としてのバスを介して、ＤＦ装置１２を構成する各ハードウェア構成要素に相互接続されている。なお、ＤＦ装置１２は、記録媒体用のドライブ（図示しない）を具備する場合もある。
【００２４】
Ａ／Ｄ変換回路３０は、撮像系１１のＸ線検出装置２２から出力された時系列的なアナログ信号（ビデオ信号）をデジタル信号に変換する。
【００２５】
投影データ記憶装置３１は、メモリやディスク等によって構成される記憶装置である。投影データ記憶装置３１は、ＣＰＵ４１の制御によって、Ａ／Ｄ変換回路３０から出力される投影データを記憶する。投影データ記憶装置３１は、Ａ／Ｄ変換回路３０から出力される画像データと共に、患者情報、収集カット、フレーム及び画像処理条件等の画像データに関する付帯情報も同時に記憶する。
【００２６】
一次画像処理回路３２は、ＣＰＵ４１の制御によって、投影データ記憶装置３１から投影データを取得し、投影データ記憶装置３１への記録の時系列に従って投影データに対して一次的な画像処理を施してフレーム単位の第１の画像データを生成する。一次的な画像処理としては、オフセット補正、ゲイン補正、傷補正、ダイナミックレンジ処理及びノイズ除去処理等のＸ線画像としての基本的な画像処理が挙げられる。
【００２７】
画像データ記録回路３３は、ＣＰＵ４１の制御によって、一次画像処理回路３２によって生成されたフレーム単位の第１の画像データを画像データ記憶装置３４に記録する。
【００２８】
画像データ記憶装置３４は、メモリやＨＤ４３等のディスクによって構成される記憶装置である。画像データ記憶装置３４は、ＣＰＵ４１の制御によって、一次画像処理回路３２から出力されるフレーム単位の画像データを記憶する。
【００２９】
二次画像処理回路３５は、ＣＰＵ４１の制御によって、一次画像処理回路３２によって生成されるフレーム単位の第１の画像データ、又は、画像データ記憶装置３４に記憶されたフレーム単位の第１の画像データに対して二次的な画像処理を施して、画像処理後の第２の画像データを表示装置３６に出力する。二次的な画像処理としては、ユーザが再生時に変更可能な輝度調整、コントラスト調整、空間フィルタ及びサブトラクション処理等が挙げられる。
【００３０】
ここで、Ｘ線画像診断装置１０では、画像処理を一次画像処理回路３２及び二次画像処理回路３５に分散して行なわせるものであるが、分散される各種画像処理は、一次画像処理回路３２及び二次画像処理回路３５のうちどちらで処理されてものであっても構わない。また、Ｘ線画像診断装置１０では、画像処理を一次画像処理回路３２及び二次画像処理回路３５に分散して行なわせるものであるが、一次画像処理回路３２に二次画像処理回路３５の機能をもたせ、一次画像処理回路３２によって第２の画像データを生成するように構成してもよい。
【００３１】
表示装置３６は、図示しない画像合成回路及びモニタ等を含んでいる。表示装置３６は、ＣＰＵ４１の制御によって、二次画像処理回路３５から出力されるフレーム単位の画像データを種々のパラメータの文字情報や目盛等と共に合成し、ビデオ信号としてモニタに出力する。モニタは、ビデオ信号を基に、Ｘ線画像を表示する。二次画像処理回路３５が一次画像処理回路３２から出力された第１の画像データを基にフレーム単位の第２の画像データを生成することで、表示装置３６は、Ｘ線画像をリアルタイム動画表示することができる。一方、二次画像処理回路３５が画像データ記憶装置３４から取得された第１の画像データを基にフレーム単位の第２の画像データを生成することで、表示装置３６は、Ｘ線画像を再生動画表示することができる。
【００３２】
ＣＰＵ４１は、ユーザによって入力装置４４が操作等されることにより指令が入力されると、包括メモリ４２に記憶しているプログラムを実行する。又は、ＣＰＵ４１は、ＨＤ４３に記憶しているプログラム、ネットワークＮから転送され通信制御装置４５で受信されてＨＤ４３にインストールされたプログラム、又は記録媒体用のドライブ（図示しない）に装着された記録媒体から読み出されてＨＤ４３にインストールされたプログラムを、包括メモリ４２にロードして実行する。
【００３３】
包括メモリ４２は、ＲＯＭ（ｒｅａｄ  ｏｎｌｙ  ｍｅｍｏｒｙ）及びＲＡＭ（ｒａｎｄｏｍ  ａｃｃｅｓｓ  ｍｅｍｏｒｙ）等の要素を兼ね備え、ＩＰＬ（ｉｎｉｔｉａｌ  ｐｒｏｇｒａｍ  ｌｏａｄｉｎｇ）、ＢＩＯＳ（ｂａｓｉｃ  ｉｎｐｕｔ／ｏｕｔｐｕｔ  ｓｙｓｔｅｍ）及びデータを記憶したり、ＣＰＵ４１のワークメモリやデータの一時的な記憶に用いたりする記憶装置である。
【００３４】
ＨＤ４３は、不揮発性のディスク等によって構成される。ＨＤ４３は、ＤＦ装置１２にインストールされたプログラム（アプリケーションプログラムの他、ＯＳ（ｏｐｅｒａｔｉｎｇ  ｓｙｓｔｅｍ）等も含まれる）や、データを記憶する記憶装置である。また、ＯＳに、ユーザに対する情報の表示にグラフィックを多用し、基礎的な操作を入力装置３７によって行なうことができるＧＵＩ（ｇｒａｐｈｉｃａｌ  ｕｓｅｒ  ｉｎｔｅｒｆａｃｅ）を提供させることもできる。
【００３５】
入力装置４４としては、ユーザによって操作が可能なキーボード及びマウス等が挙げられ、操作に従った入力信号がＣＰＵ４１に送られる。
【００３６】
通信制御装置４５は、各規格に応じた通信制御を行なう。通信制御装置４５は、電話回線等を通じてネットワークＮに接続することができる機能を有しており、これにより、Ｘ線画像診断装置１０は、通信制御装置４５からネットワークＮ網に接続することができる。
【００３７】
システム制御装置４６は、図示しないＣＰＵ及びメモリを含んでいる。システム制御装置４６は、ＣＰＵ４１からの指示に従って、撮像系１１の高電圧供給装置２６及び駆動機構２７等の動作を制御する。
【００３８】
図２は、図１に示すＤＦ装置１２のハードウェア構成の一部と、ＤＦ装置１２の機能とを併せて示すブロック図である。
【００３９】
ＣＰＵ４１がプログラムを実行することによって、図２に示すように、ＤＦ装置１２は、削除許可通知部５２、投影データ削除制御部５３、復旧処理部５４及び画像処理指示部５５として機能する。なお、Ｘ線画像診断装置１０を構成する削除許可通知部５２、投影データ削除制御部５３、復旧処理部５４及び画像処理指示部５５は、ＣＰＵ４１がプログラムを実行することで機能するものとして説明するが、ＤＦ装置１２にハードウェアとして設けられるものであってもよい。
【００４０】
削除許可通知部５２は、画像データ記録回路３３によって画像データ記憶装置３４に第１の画像データが記録されると、第１の画像データ毎に削除許可通知を発生する機能を有する。
【００４１】
投影データ削除制御部５３は、削除許可通知部５２によって発生された削除許可通知の対象である第１の画像データに相当する投影データの投影データ記憶装置３１からの削除を制御する機能を有する。
【００４２】
復旧処理部５４は、一次画像処理回路３２にエラーが発生した場合、一次画像処理回路３２の復旧処理（リセット）を行なう機能を有する。復旧処理部５４は、一次画像処理回路３２にエラーが発生した場合、一次画像処理回路３２の復旧処理を自動的に行なうことが好適である。
【００４３】
画像処理指示部５５は、復旧処理部５４によって一次画像処理回路３２が復旧処理されると、一次画像処理回路３２に、投影データ記憶装置３１に所要時間以上記憶された投影データに対して画像処理を施して画像データを生成するように指示する機能を有する。なお、画像処理指示部５５は、一次画像処理回路３２によって投影データ記憶装置３１に記録した時系列に従ってリアルタイムで第１の画像データが生成されている間は、所要時間以上記憶された投影データから第１の画像データを生成しない構成としてもよい。
【００４４】
続いて、Ｘ線画像診断装置１０による動作について、［１］一次画像処理回路３２にエラーが発生しない間のリアルタイム表示中の動作と、［２］一次画像処理回路３２のエラー発生以降のリアルタイム表示中の動作と、［３］一次画像処理回路３２のエラー発生以降のリアルタイム表示終了後の動作と、を分けて説明する。
【００４５】
また、各［１］乃至［３］の動作を、削除許可通知を第１の画像データの単位で発生する場合と、削除許可通知を第１の画像データの集合体、例えばカット単位で発生する場合とに分けて説明する。なお、Ａ／Ｄ変換回路３０、一次画像処理回路３２、画像データ記録回路３３及び二次画像処理回路３５のデータ処理能力（データ処理速度）は、リアルタイム表示を充分に行なえる程度に備わっているものとして説明する。
【００４６】
図３乃至図５は、削除許可通知を第１の画像データの単位で発生する場合の、［１］一次画像処理回路３２にエラーが発生しない間のリアルタイム表示中の動作の一例を説明するための図である。
【００４７】
図３は、［１］一次画像処理回路３２にエラーが発生しない間のリアルタイム表示中のうち、所要のタイミングにおけるＸ線画像診断装置１０の状態を示す概念図である。
【００４８】
図３は、［１］一次画像処理回路３２にエラーが発生しない間のリアルタイム表示中のうち、所要のタイミング、例えば、Ａ／Ｄ変換回路３０によって取得される投影データＰ−２の記録途中のタイミングにおけるＸ線画像診断装置１０の状態を示している。図３に示すタイミングでは、一次画像処理回路３２によって、投影データ記憶装置３１への記録が完了した最新の第１の画像データＩ１−１の生成途中であるとする。
【００４９】
図３に示すように、投影データ記憶装置３１は、未だ削除許可通知に従っていない第１の画像データＩ１−１に相当する投影データＰ−１を記憶している。
【００５０】
図４は、［１］一次画像処理回路３２にエラーが発生しない間のリアルタイム表示中のうち、図３に示すタイミングより後のタイミングにおけるＸ線画像診断装置１０の状態を示す概念図である。
【００５１】
図４は、［１］一次画像処理回路３２にエラーが発生しない間のリアルタイム表示中のうち、図３に示すタイミングより後のタイミング、例えば、Ａ／Ｄ変換回路３０によって取得される投影データＰ−３の記録途中のタイミングにおけるＸ線画像診断装置１０の状態を示している。図４に示すタイミングでは、一次画像処理回路３２によって、投影データ記憶装置３１への記録が完了した最新の第１の画像データＩ１−２の生成途中であり、かつ、表示装置３６によって、二次画像処理回路３５による表示用の画像処理が完了した最新の第２の画像データＩ２−１が表示されているとする。
【００５２】
図４に示すように、画像データ記憶装置３４は、図４に示すタイミングより前のタイミングで生成された全ての第１の画像データＩ１（第１の画像データＩ１−１）を記憶している。さらに、図４は、画像データ記録回路３３によって第１の画像データＩ１−１が画像データ記憶装置３４に記録されたタイミングで削除許可通知発生部５２が発生する第１の画像データＩ１−１の削除許可通知を示している。
【００５３】
一方、図４に示すように、投影データ記憶装置３１は、未だ削除許可通知に従っていない第１の画像データＩ１−１に相当する投影データＰ−１と、第１の画像データＩ１−２に相当する投影データＰ−２とを記憶している。
【００５４】
図５は、［１］一次画像処理回路３２にエラーが発生しない間のリアルタイム表示中のうち、図４に示すタイミングより後のタイミングにおけるＸ線画像診断装置１０の状態を示す概念図である。
【００５５】
図５は、［１］一次画像処理回路３２にエラーが発生しない間のリアルタイム表示中のうち、図４に示すタイミングより後のタイミング、例えば、Ａ／Ｄ変換回路３０から出力される投影データＰ−４の記録途中のタイミングにおけるＸ線画像診断装置１０の状態を示している。図５に示すタイミングでは、一次画像処理回路３２によって、投影データ記憶装置３１への記録が完了した最新の第１の画像データＩ１−３の生成途中であり、かつ、表示装置３６によって、二次画像処理回路３５による表示用の画像処理が完了した最新の第２の画像データＩ２−２が表示されているとする。
【００５６】
図５に示すように、画像データ記憶装置３４は、図５に示すタイミングより前のタイミングで生成された全ての第１の画像データＩ１（第１の画像データＩ１−１及びＩ１−２）を記憶している。さらに、図５は、画像データ記録回路３３によって第１の画像データＩ１−２が画像データ記憶装置３４に記録されたタイミングで削除許可通知発生部５２が発生する第１の画像データＩ１−２の削除許可通知を示している。
【００５７】
一方、図５に示すように、直前のタイミング（図４に示すタイミング）で発生された第１の画像データＩ１−１の削除許可通知に従って、投影データ削除制御部５３によって、第１の画像データＩ１−１に相当する投影データＰ−１が投影データ記憶装置３１から削除されている。よって、図５に示すように、投影データ記憶装置３１は、未だ削除許可通知に従っていない第１の画像データＩ１−２に相当する投影データＰ−２と、第１の画像データＩ１−３に相当する投影データＰ−３とを記憶している。
【００５８】
図６乃至図１１は、削除許可通知を第１の画像データの単位で発生する場合の、［２］一次画像処理回路３２のエラー発生以降のリアルタイム表示中の動作の一例を説明するための図である。
【００５９】
図６は、［２］一次画像処理回路３２のエラー発生以降のリアルタイム表示中のうち、一次画像処理回路３２にエラーが発生した所要のタイミングにおけるＸ線画像診断装置１０の状態を示す概念図である。
【００６０】
図６は、［２］一次画像処理回路３２のエラー発生以降のリアルタイム表示中のうち、一次画像処理回路３２にエラーが発生した所要のタイミング、例えば、Ａ／Ｄ変換回路３０から出力される投影データＰ−５０の記録途中のタイミングにおけるＸ線画像診断装置１０の状態を示している。図６に示すタイミングでは、一次画像処理回路３２によって、投影データ記憶装置３１への記録が完了した最新の第１の画像データＩ１−４９の生成途中であり、かつ、表示装置３６によって、二次画像処理回路３５による表示用の画像処理が完了した最新の第２の画像データＩ２−４８が表示されているとする。
【００６１】
図６に示すように、画像データ記憶装置３４は、図６に示すタイミングより前に生成された全ての第１の画像データＩ１（第１の画像データＩ１−１乃至Ｉ１−４８）を記憶している。さらに、図６は、画像データ記録回路３３によって第１の画像データＩ１−４８が画像データ記憶装置３４に記録されたタイミングで削除許可通知発生部５２が発生する第１の画像データＩ１−４８の削除許可通知を示している。
【００６２】
一方、直前のタイミングで発生された第１の画像データＩ１−４７の削除許可通知に従って、投影データ削除制御部５３によって、第１の画像データＩ１−４７に相当する投影データＰ−４７が投影データ記憶装置３１から削除されている。よって、図６に示すように、投影データ記憶装置３１は、未だ削除許可通知に従っていない第１の画像データＩ１−４８に相当する投影データＰ−４８と、第１の画像データＩ１−４９に相当する投影データＰ−４９とを記憶している。
【００６３】
図７は、［２］一次画像処理回路３２のエラー発生以降のリアルタイム表示中のうち、図６に示すタイミングより後のタイミングにおけるＸ線画像診断装置１０の状態を示す概念図である。
【００６４】
図７は、［２］一次画像処理回路３２のエラー発生以降のリアルタイム表示中のうち、図６に示すタイミングより後のタイミング、例えば、Ａ／Ｄ変換回路３０から出力される投影データＰ−５１の記録途中のタイミングにおけるＸ線画像診断装置１０の状態を示している。図７に示すタイミングでは、一次画像処理回路３２は、生成途中の第１の画像データＩ１−４９を破棄している。
【００６５】
図７に示すように、画像データ記憶装置３４は、図７に示すタイミングより前に生成された全ての第１の画像データＩ１（第１の画像データＩ１−１乃至Ｉ１−４８）を記憶している。なお、図示しないが、表示装置３６は、図６に示すタイミングに引き続き、第２の画像データＩ２−４８を表示してもよい。
【００６６】
一方、図７に示すように、直前のタイミング（図６に示すタイミング）で発生された第１の画像データＩ１−４８の削除許可通知に従って、投影データ削除制御部５３によって、第１の画像データＩ１−４８に相当する投影データＰ−４８は投影データ記憶装置３１から削除されている。よって、図７に示すように、投影データ記憶装置３１は、未だ削除許可通知に従っていない第１の画像データＩ１−４９に相当する投影データＰ−４９と、第１の画像データＩ１−５０に相当する投影データＰ−５０とを記憶している。
【００６７】
図８は、［２］一次画像処理回路３２のエラー発生以降のリアルタイム表示中のうち、一次画像処理回路３２の復旧処理完了のタイミングにおけるＸ線画像診断装置１０の状態を示す概念図である。
【００６８】
図８は、［２］一次画像処理回路３２のエラー発生以降のリアルタイム表示中のうち、復旧処理部５４による一次画像処理回路３２の復旧処理完了のタイミング、例えば、Ａ／Ｄ変換回路３０から出力される投影データＰ−５５の記録途中のタイミングにおけるＸ線画像診断装置１０の状態を示している。
【００６９】
図８に示すように、画像データ記憶装置３４は、図８に示すタイミングより前のタイミングで生成された全ての第１の画像データＩ１（第１の画像データＩ１−１乃至Ｉ１−４８）を記憶している。なお、図示しないが、表示装置３６は、図７に示すタイミングに引き続き、第２の画像データＩ２−４８を表示してもよい。
【００７０】
一方、図８に示すように、投影データ記憶装置３１は、未だ削除許可通知に従っていない第１の画像データＩ１−４９乃至Ｉ１−５４に相当する投影データＰ−４９乃至Ｐ−５４を記憶している。
【００７１】
図９は、［２］一次画像処理回路３２のエラー発生以降のリアルタイム表示中のうち、図８に示すタイミングより後のタイミングにおけるＸ線画像診断装置１０の状態を示す概念図である。
【００７２】
図９は、［２］一次画像処理回路３２のエラー発生以降のリアルタイム表示中のうち、図８に示すタイミングより後のタイミング、例えば、Ａ／Ｄ変換回路３０から出力される投影データＰ−５６の記録途中のタイミングにおけるＸ線画像診断装置１０の状態を示している。画像処理指示部５５は、一次画像処理回路３２によって投影データ記憶装置３１に記録した時系列に従ってリアルタイムで第１の画像データが生成されている間は、所要時間以上記憶された投影データから第１の画像データを生成しないものとする。すなわち、図９に示すタイミングでは、画像処理指示部５５による指示（リアルタイム表示の優先指示）に従って、一次画像処理回路３２によって、第１の画像データＩ１−５５の生成途中であるとする。
【００７３】
図９に示すように、画像データ記憶装置３４は、図９に示すタイミングより前のタイミングで生成された全ての第１の画像データＩ１（第１の画像データＩ１−１乃至Ｉ１−４８）を記憶している。なお、図示しないが、表示装置３６は、図８に示すタイミングに引き続き、第２の画像データＩ２−４８を表示してもよい。
【００７４】
一方、図９に示すように、投影データ記憶装置３１は、未だ削除許可通知に従っていない第１の画像データＩ１−４９乃至Ｉ１−５４に相当する投影データＰ−４９乃至Ｐ−５４と、第１の画像データＩ１−５５に相当する投影データＰ−５５とを記憶している。
【００７５】
図１０は、［２］一次画像処理回路３２のエラー発生以降のリアルタイム表示中のうち、図９に示すタイミングの次のタイミングにおけるＸ線画像診断装置１０の状態を示す概念図である。
【００７６】
図１０は、［２］一次画像処理回路３２のエラー発生以降のリアルタイム表示中のうち、図９に示すタイミングの次のタイミング、例えば、Ａ／Ｄ変換回路３０から出力される投影データＰ−５７の記録途中のタイミングにおけるＸ線画像診断装置１０の状態を示している。図９に示すタイミングでは、画像処理指示部５５による指示に従って、一次画像処理回路３２によって、投影データ記憶装置３１への記録が完了した最新の第１の画像データＩ１−５６の生成途中であり、かつ、表示装置３６によって、二次画像処理回路３５による表示用の画像処理が完了した最新の第２の画像データＩ２−５５が表示されているとする。
【００７７】
図１０に示すように、画像データ記憶装置３４は、図１０に示すタイミングより前のタイミングで生成された全ての第１の画像データＩ１（第１の画像データＩ１−１乃至Ｉ１−４８，Ｉ１−５５）を記憶している。さらに、図１０は、画像データ記録回路３３によって第１の画像データＩ１−５５が画像データ記憶装置３４に記録されたタイミングで削除許可通知発生部５２が発生する第１の画像データＩ１−５５の削除許可通知を示している。
【００７８】
一方、図１０に示すように、投影データ記憶装置３１は、未だ削除許可通知に従っていない第１の画像データＩ１−４９乃至Ｉ１−５４に相当する投影データＰ−４９乃至Ｐ−５４と、第１の画像データＩ１−５５に相当する投影データＰ−５５と、第１の画像データＩ１−５６に相当する投影データＰ−５６とを記憶している。
【００７９】
図１１は、［２］一次画像処理回路３２のエラー発生以降のリアルタイム表示中のうち、リアルタイム表示終了のタイミングにおけるＸ線画像診断装置１０の状態を示す概念図である。
【００８０】
図１１は、［２］一次画像処理回路３２のエラー発生以降のリアルタイム表示中のうち、投影データの取得終了後のリアルタイム表示終了のタイミングにおけるＸ線画像診断装置１０の状態を示している。図１１に示すタイミングでは、画像処理指示部５５による指示に従って、一次画像処理回路３２によって、投影データ記憶装置３１に記憶された第１の画像データＩ１−４９の生成途中であり、かつ、表示装置３６によって、二次画像処理回路３５による表示用の画像処理が完了した最新の第２の画像データＩ２−９９が表示されているとする。
【００８１】
図１１に示すように、画像データ記憶装置３４は、図１１に示すタイミングより前のタイミングで生成された全ての第１の画像データＩ１（第１の画像データＩ１−１乃至Ｉ１−４８，Ｉ１−５５乃至Ｉ１−９９）を記憶している。さらに、図１１は、画像データ記録回路３３によって第１の画像データＩ１−９９が画像データ記憶装置３４に記録されたタイミングで削除許可通知発生部５２が発生する第１の画像データＩ１−９９の削除許可通知を示している。
【００８２】
一方、図１１に示すように、直前のタイミングで発生された第１の画像データＩ１−９８の削除許可通知に従って、投影データ削除制御部５３によって、第１の画像データＩ１−９８に相当する投影データＰ−９８は投影データ記憶装置３１から削除されている。よって、図１１に示すように、投影データ記憶装置３１は、未だ削除許可通知に従っていない第１の画像データＩ１−４９乃至Ｉ１−５４に相当する投影データＰ−４９乃至Ｐ−５４と、第１の画像データＩ１−９９に相当する投影データＰ−９９とを記憶している。
【００８３】
図１２乃至図１５は、削除許可通知を第１の画像データの単位で発生する場合の、［３］一次画像処理回路３２のエラー発生以降のリアルタイム表示終了後の動作の一例を説明するための図である。
【００８４】
図１２は、［３］一次画像処理回路３２のエラー発生以降のリアルタイム表示終了後のうち、所要のタイミングにおけるＸ線画像診断装置１０の状態を示す概念図である。
【００８５】
図１２は、［３］一次画像処理回路３２のエラー発生以降のリアルタイム表示終了後のうち、所要のタイミングにおけるＸ線画像診断装置１０の状態を示している。図１２に示すタイミングでは、画像処理指示部５５による指示に従って、一次画像処理回路３２によって、投影データ記憶装置３１に記憶された第１の画像データＩ１−５０の生成途中であるとする。
【００８６】
図１２に示すように、画像データ記憶装置３４は、図１２に示すタイミングより前のタイミングで生成された全ての第１の画像データＩ１（第１の画像データＩ１−１乃至Ｉ１−４９，Ｉ１−５５乃至Ｉ１−９９）を記憶している。さらに、図１２は、画像データ記録回路３３によって第１の画像データＩ１−４９が画像データ記憶装置３４に記録されたタイミングで削除許可通知発生部５２が発生する第１の画像データＩ１−４９の削除許可通知を示している。なお、図示しないが、表示装置３６は、直前のタイミング（図１１に示すタイミング）で生成された第１の画像データＩ１−４９を基に二次画像処理回路３５によって生成された第２の画像データＩ２−４９を表示してもよい。
【００８７】
一方、図１２に示すように、直前のタイミング（図１１に示すタイミング）で発生された第１の画像データＩ１−９９の削除許可通知に従って、投影データ削除制御部５３によって、第１の画像データＩ１−９９に相当する投影データＰ−９９は投影データ記憶装置３１から削除されている。よって、図１２に示すように、投影データ記憶装置３１は、未だ削除許可通知に従っていない第１の画像データＩ１−４９乃至Ｉ１−５４に相当する投影データＰ−４９乃至Ｐ−５４のみを記憶している。
【００８８】
図１３は、［３］一次画像処理回路３２のエラー発生以降のリアルタイム表示終了後のうち、図１２に示すタイミングより後のタイミングにおけるＸ線画像診断装置１０の状態を示す概念図である。
【００８９】
図１３は、［３］一次画像処理回路３２のエラー発生以降のリアルタイム表示終了後のうち、図１２に示すタイミングより後のタイミングにおけるＸ線画像診断装置１０の状態を示している。図１３に示すタイミングでは、画像処理指示部５５による指示に従って、一次画像処理回路３２によって、投影データ記憶装置３１に記憶された第１の画像データＩ１−５１の生成途中であるとする。
【００９０】
図１３に示すように、画像データ記憶装置３４は、図１３に示すタイミングより前のタイミングで生成された全ての第１の画像データＩ１（第１の画像データＩ１−１乃至Ｉ１−５０，Ｉ１−５５乃至Ｉ１−９９）を記憶している。さらに、図１３は、画像データ記録回路３３によって第１の画像データＩ１−５０が画像データ記憶装置３４に記録されたタイミングで削除許可通知発生部５２が発生する第１の画像データＩ１−５０の削除許可通知を示している。なお、図示しないが、表示装置３６は、直前のタイミング（図１２に示すタイミング）で生成された第１の画像データＩ１−５０を基に二次画像処理回路３５によって生成された第２の画像データＩ２−５０を表示してもよい。
【００９１】
一方、図１３に示すように、直前のタイミング（図１２に示すタイミング）で発生された第１の画像データＩ１−４９の削除許可通知に従って、投影データ削除制御部５３によって、第１の画像データＩ１−４９に相当する投影データＰ−４９は投影データ記憶装置３１から削除されている。よって、図１３に示すように、投影データ記憶装置３１は、未だ削除許可通知に従っていない第１の画像データＩ１−５０乃至Ｉ１−５４に相当する投影データＰ−５０乃至Ｐ−５４のみを記憶している。
【００９２】
図１４は、［３］一次画像処理回路３２のエラー発生以降のリアルタイム表示終了後のうち、図１３に示すタイミングより後のタイミングにおけるＸ線画像診断装置１０の状態を示す概念図である。
【００９３】
図１４は、［３］一次画像処理回路３２のエラー発生以降のリアルタイム表示終了後のうち、図１３に示すタイミングより後のタイミングにおけるＸ線画像診断装置１０の状態を示している。図１４に示すタイミングでは、画像処理指示部５５による指示に従って、一次画像処理回路３２によって、投影データ記憶装置３１に記憶された第１の画像データＩ１−５２の生成途中であるとする。
【００９４】
図１４に示すように、画像データ記憶装置３４は、図１４に示すタイミングより前のタイミングで生成された全ての第１の画像データＩ１（第１の画像データＩ１−１乃至Ｉ１−５１，Ｉ１−５５乃至Ｉ１−９９）を記憶している。さらに、図１４は、画像データ記録回路３３によって第１の画像データＩ１−５１が画像データ記憶装置３４に記録されたタイミングで削除許可通知発生部５２が発生する第１の画像データＩ１−５１の削除許可通知を示している。なお、図示しないが、表示装置３６は、直前のタイミング（図１３に示すタイミング）で生成された第１の画像データＩ１−５１を基に二次画像処理回路３５によって生成された第２の画像データＩ２−５１を表示してもよい。
【００９５】
一方、図１４に示すように、直前のタイミング（図１３に示すタイミング）で発生された第１の画像データＩ１−５０の削除許可通知に従って、投影データ削除制御部５３によって、第１の画像データＩ１−５０に相当する投影データＰ−５０は投影データ記憶装置３１から削除されている。よって、図１４に示すように、投影データ記憶装置３１は、未だ削除許可通知に従っていない第１の画像データＩ１−５１乃至Ｉ１−５４に相当する投影データＰ−１乃至Ｐ−５４を記憶している。
【００９６】
図１５は、［３］一次画像処理回路３２のエラー発生以降のリアルタイム表示終了後のうち、最終的なＸ線画像診断装置１０の状態を示す概念図である。
【００９７】
図１５は、［３］一次画像処理回路３２のエラー発生以降のリアルタイム表示終了後のうち、最終的なＸ線画像診断装置１０の状態を示している。図１４に示すタイミングの後、第１の画像データＩ１−５３及びＩ１−５４の生成を順次行ない、図１５に示すように、画像データ記憶装置３４は、全ての第１の画像データＩ１（第１の画像データＩ１−１乃至Ｉ１−９９）を記憶している。
【００９８】
一方、図１５に示すように、投影データ記憶装置３１は、投影データＰを全く記憶してない。
【００９９】
図１６乃至図１８は、削除許可通知をカットの単位で発生する場合の、［１］一次画像処理回路３２にエラーが発生しない間のリアルタイム表示中の動作の一例を説明するための図である。
【０１００】
図１６は、［１］一次画像処理回路３２にエラーが発生しない間のリアルタイム表示中のうち、図３に示すタイミングより後のタイミングにおけるＸ線画像診断装置１０の状態を示す概念図である。図１６は、第１の画像データＩ１の単位で削除許可通知を発生する場合を説明した図４の変形例として、“１０”個の第１の画像データＩ１によって構成されるカット単位で削除許可通知を発生する場合を示している。
【０１０１】
図１６は、［１］一次画像処理回路３２にエラーが発生しない間のリアルタイム表示中のうち、図３に示すタイミングより後のタイミング、例えば、Ａ／Ｄ変換回路３０から出力される投影データＰ−３の記録途中のタイミングにおけるＸ線画像診断装置１０の状態を示している。図１６に示すタイミングでは、一次画像処理回路３２によって、投影データ記憶装置３１への記録が完了した最新の第１の画像データＩ１−２の生成途中であり、かつ、表示装置３６によって、二次画像処理回路３５による表示用の画像処理が完了した最新の第２の画像データＩ２−１が表示されているとする。
【０１０２】
図１６に示すように、画像データ記憶装置３４は、図１６に示すタイミングより前のタイミングで生成された全ての第１の画像データＩ１（第１の画像データＩ１−１）を記憶している。
【０１０３】
一方、図１６に示すように、投影データ記憶装置３１は、第１の画像データＩ１−１に相当する投影データＰ−１と、第１の画像データＩ１−２に相当する投影データＰ−２とを記憶している。
【０１０４】
なお、図１６に示すタイミングでは、画像データ記憶装置３４には１カット目の一部を構成する“１”個の第１の画像データＩ１−１だけしか記憶されていないので、削除許可通知発生部５２は、１カット目の削除許可通知を未だ発生していない。
【０１０５】
図１７は、［１］一次画像処理回路３２にエラーが発生しない間のリアルタイム表示中のうち、図１６に示すタイミングより後のタイミングにおけるＸ線画像診断装置１０の状態を示す概念図である。
【０１０６】
図１７は、［１］一次画像処理回路３２にエラーが発生しない間のリアルタイム表示中のうち、図１６に示すタイミングより後のタイミング、例えば、Ａ／Ｄ変換回路３０から出される投影データＰ−１２の記録途中のタイミングにおけるＸ線画像診断装置１０の状態を示している。図１７に示すタイミングでは、一次画像処理回路３２によって、投影データ記憶装置３１への記録が完了した最新の第１の画像データＩ１−１１の生成途中であり、かつ、表示装置３６によって、二次画像処理回路３５による表示用の画像処理が完了した最新の第２の画像データＩ２−１０が表示されているとする。
【０１０７】
図１７に示すように、画像データ記憶装置３４は、図１７に示すタイミングより前のタイミングで生成された全ての第１の画像データＩ１（第１の画像データＩ１−１乃至Ｉ１−１０）を記憶している。さらに、図１７は、画像データ記録回路３３によって第１の画像データＩ１−１０が画像データ記憶装置３４に記録されたタイミングで削除許可通知発生部５２が発生する１カット目（第１の画像データＩ１−１乃至Ｉ１−１０）の削除許可通知を示している。
【０１０８】
一方、図１７に示すように、投影データ記憶装置３１は、１カット目に相当する投影データＰ−１乃至Ｐ−１０と、２カット目の一部としての第１の画像データＩ１−１１に相当する投影データＰ−１１とを記憶している。
【０１０９】
図１８は、［１］一次画像処理回路３２にエラーが発生しない間のリアルタイム表示中のうち、図１７に示すタイミングより後のタイミングにおけるＸ線画像診断装置１０の状態を示す概念図である。
【０１１０】
図１８は、［１］一次画像処理回路３２にエラーが発生しない間のリアルタイム表示中のうち、図１７に示すタイミングより後のタイミング、例えば、Ａ／Ｄ変換回路３０から出力される投影データＰ−１３の記録途中のタイミングにおけるＸ線画像診断装置１０の状態を示している。図１８に示すタイミングでは、一次画像処理回路３２によって、投影データ記憶装置３１への記録が完了した最新の第１の画像データＩ１−１２の生成途中であり、かつ、表示装置３６によって、二次画像処理回路３５による表示用の画像処理が完了した最新の第２の画像データＩ２−１１が表示されているとする。
【０１１１】
図１８に示すように、画像データ記憶装置３４は、図１８に示すタイミングより前のタイミングで生成された全ての第１の画像データＩ１（第１の画像データＩ１−１乃至Ｉ１−１１）を記憶している。
【０１１２】
一方、図１８に示すように、図１７に示すタイミングで発生された１カット目の削除許可通知に従って、１カット目に相当する投影データＰ−１乃至Ｐ−１０が投影データ記憶装置３１から削除されている。よって、図１８に示すように、投影データ記憶装置３１は、未だ削除許可通知に従っていない第１の画像データＩ１−１１に相当する投影データＰ−１１と、第１の画像データＩ１−１２に相当する投影データＰ−１２とを記憶している。
【０１１３】
なお、図１８に示すタイミングでは、画像データ記憶装置３４には、２カット目の一部を構成する“１”個の第１の画像データＩ１−１１だけしか記憶されていないので、２カット目の削除許可通知は未だ発生していない。
【０１１４】
ここで、削除許可通知をカットの単位で発生する場合における［２］及び［３］の動作は、削除許可通知を第１の画像データの単位で発生する場合における［２］及び［３］の動作（図６乃至図１５）に準じるものとする。
【０１１５】
第１実施形態のＸ線画像診断装置１０によると、投影データ記憶装置３１によって、画像データ記憶装置３３への記録が完了した第１の画像データＩ１に相当する投影データＰを保持することができる。よって、リアルタイム表示中に一次画像処理回路３２にエラーが発生して一次画像処理回路３２の復旧処理を自動的に行なっても、一次画像処理回路３２の復旧処理後のリアルタイム表示を継続しながら、一次画像処理回路３２のエラー発生から復旧処理終了までに生成されるべき第１の画像データＩ１−４９乃至Ｉ１−５４に相当する投影データＰ−４９乃至Ｐ−５４をＸ線画像診断装置１０内に保持すると共にリアルタイム表示後に第１の画像データＩ１−４９乃至Ｉ１−５４を生成することができる。したがって、Ｘ線画像診断装置１０によると、リアルタイム表示中に一次画像処理回路３２にエラーが発生した場合でも、一次画像処理回路３２のエラー発生から復旧処理終了までに生成されるべき第１の画像データＩ１−４９乃至Ｉ１−５４に相当する投影データＰ−４９乃至Ｐ−５４を取得するために再度の撮像を行なう必要がないので、患者への余剰のＸ線被曝を防止することができる。
【０１１６】
図１９は、本発明に係るＸ線画像診断装置の第２実施形態のハードウェア構成を示す概略図である。
【０１１７】
図１９は、第２実施形態のＸ線画像診断装置１０Ａを示す。Ｘ線画像診断装置１０Ａは、大きくは、撮像系１１及びＤＦ装置１２Ａから構成される。
【０１１８】
ＤＦ装置１２Ａは、コンピュータをベースとして構成されており、病院基幹のＬＡＮ等のネットワークＮと相互通信可能である。ＤＦ装置１２Ａは、大きくは、Ａ／Ｄ変換回路４１、投影データ記憶装置３１、一次画像処理回路３２、画像データ記憶装置６４、二次画像処理回路３５、表示装置３６、ＣＰＵ４１、包括メモリ４２、ＨＤ４３、入力装置４４、通信制御装置４５及びシステム制御装置４６等のハードウェアから構成される。ＣＰＵ４１は、共通信号伝送路としてのバスを介して、ＤＦ装置１２Ａを構成する各ハードウェア構成要素に相互接続されている。なお、ＤＦ装置１２Ａは、記録媒体用のドライブ（図示しない）を具備する場合もある。
【０１１９】
画像データ記憶装置６４は、複数の画像データ記憶装置要素６４ｎ（画像データ記憶装置要素６４ａ，６４ｂ，…）によって構成される。画像データ記憶装置要素６４ｎは、メモリやＨＤ４３等のディスクによって構成される記憶装置である。画像データ記憶装置６４は、ＣＰＵ４１の制御によって、一次画像処理回路３２から出力されるフレーム単位の画像データをいずれかの画像データ記憶装置要素６４ｎに記憶する。以下、画像データ記憶装置要素６４ａを主の記憶装置と、画像データ記憶装置要素６４ｂを副の記憶装置とし、画像データ記憶装置要素６４ａにエラーが発生する場合を説明する。
【０１２０】
なお、図１９に示すＸ線画像診断装置１０Ａにおいて、図１に示すＸ線画像診断装置１０と同一の構成要素には同一の符号を付して説明を省略する。
【０１２１】
図２０は、図２１に示すＤＦ装置１２Ａのハードウェア構成の一部と、ＤＦ装置１２Ａの機能とを併せて示すブロック図である。
【０１２２】
ＣＰＵ４１がプログラムを実行することによって、図２０に示すように、ＤＦ装置１２Ａは、削除許可通知部５２、投影データ削除制御部５３、復旧処理部６５及び画像記録指示部６６として機能する。なお、Ｘ線画像診断装置１０Ａを構成する削除許可通知部５２、投影データ削除制御部５３、復旧処理部６５及び画像記録指示部６６は、ＣＰＵ４１がプログラムを実行することで機能するものとして説明するが、ＤＦ装置１２Ａにハードウェアとして設けられるものであってもよい。
【０１２３】
復旧処理部６５は、画像データ記憶装置６４を構成する主の画像データ記憶装置要素６４ａにエラーが発生した場合、主の画像データ記憶装置要素６４ａの復旧処理（リセット）を行なう機能を有する。復旧処理部６５は、主の画像データ記憶装置要素６４ａにエラーが発生した場合、主の画像データ記憶装置要素６４ａの復旧処理を自動的に行なうことが好適である。
【０１２４】
画像記録指示部６６は、データを複数の記憶装置に対して分散して記録し、高速化や安全性の向上を図るための技術、例えばＲＡＩＤ（ｒｅｄｕｎｄａｎｔ  ａｒｒａｙｓ  ｏｆ  ｉｎｅｘｐｅｎｓｉｖｅ  ｄｉｓｋｓ）５等の機能を含んでいる。画像記録指示部６６は、復旧処理部６５によって主の画像データ記憶装置要素６４ａの復旧処理が完了するまでは、主の画像データ記憶装置要素６４ａ以外の副の画像データ記憶装置要素６４ｂに画像データを記録するように画像データ記録回路３３に指示する機能を有する。一方、画像記録指示部６６は、復旧処理部６５によって主の画像データ記憶装置要素６４ａの復旧処理が完了された後は、主の画像データ記憶装置要素６４ａに画像データを記録するように画像データ記録回路３３に指示する機能を有する。
【０１２５】
なお、図２０に示すＸ線画像診断装置１０Ａにおいて、図２に示すＸ線画像診断装置１０と同一の構成要素には同一の符号を付して説明を省略する。
【０１２６】
続いて、Ｘ線画像診断装置１０Ａによる動作について、［４］画像データ記憶装置６４を構成する主の画像データ記憶装置要素６４ａにエラーが発生しない間のリアルタイム表示中の動作と、［５］画像データ記憶装置６４を構成する主の画像データ記憶装置要素６４ａのエラー発生以降のリアルタイム表示中の動作とを分けて説明する。
【０１２７】
また、各［４］及び［５］の動作を、削除許可通知を第１の画像データの単位で発生する場合と、削除許可通知を第１の画像データの集合体、例えばカット単位で発生する場合とに分けて説明する。
【０１２８】
図２１乃至図２３は、削除許可通知を第１の画像データの単位で発生する場合の、［４］主の画像データ記憶装置要素６４ａにエラーが発生しない間のリアルタイム表示中の動作の一例を説明するための図である。
【０１２９】
図２１は、［４］主の画像データ記憶装置要素６４ａにエラーが発生しない間のリアルタイム表示中のうち、所要のタイミングにおけるＸ線画像診断装置１０Ａの状態を示す概念図である。
【０１３０】
図２１は、［４］主の画像データ記憶装置要素６４ａにエラーが発生しない間のリアルタイム表示中のうち、所要のタイミング、例えば、Ａ／Ｄ変換回路３０から出力される投影データＰ−２の記録途中のタイミングにおけるＸ線画像診断装置１０Ａの状態を示している。図２１に示すタイミングでは、画像データ記録回路３３によって、投影データ記憶装置３１への記録が完了した最新の第１の画像データＩ１−１の主の画像データ記録装置要素６４ａへの記録途中であり、かつ、表示装置３６によって、二次画像処理回路３５による表示用の画像処理が完了した最新の第２の画像データＩ２−１が表示されているとする。
【０１３１】
図２１に示すように、表示装置３６は、第１の画像データＩ１−１の記録とほぼ同時に、第１の画像データＩ１−１を基に二次画像処理回路３５によって生成された第２の画像データＩ２−１を表示している。
【０１３２】
一方、図２１に示すように、投影データ記憶装置３１は、第１の画像データＩ１−１に相当する投影データＰ−１を記憶している。
【０１３３】
図２２は、［４］主の画像データ記憶装置要素６４ａにエラーが発生しない間のリアルタイム表示中のうち、図２１に示すタイミングより後のタイミングにおけるＸ線画像診断装置１０Ａの状態を示す概念図である。
【０１３４】
図２２は、［４］主の画像データ記憶装置要素６４ａにエラーが発生しない間のリアルタイム表示中のうち、図２１に示すタイミングより後のタイミング、例えば、Ａ／Ｄ変換回路３０から出力される投影データＰ−３の記録途中のタイミングにおけるＸ線画像診断装置１０Ａの状態を示している。図２２に示すタイミングでは、画像データ記録回路３３によって、投影データ記憶装置３１への記録が完了した最新の第１の画像データＩ１−２の主の画像データ記録装置要素６４ａへの記録途中であり、かつ、表示装置３６によって、二次画像処理回路３５による表示用の画像処理が完了した最新の第２の画像データＩ２−２が表示されているとする。
【０１３５】
図２２に示すように、主の画像データ記憶装置要素６４ａは、図２２に示すタイミングより前のタイミングで生成された全ての第１の画像データＩ１（第１の画像データＩ１−１）を記憶している。さらに、図２２は、画像データ記録回路３３によって第１の画像データＩ１−１が主の画像データ記憶装置要素６４ａに記録されたタイミングで削除許可通知発生部５２が発生する第１の画像データＩ１−１の削除許可通知を示している。また、図２２に示すように、表示装置３６は、第１の画像データＩ１−２の記録とほぼ同時に、第１の画像データＩ１−２を基に二次画像処理回路３５によって生成された第２の画像データＩ２−２を表示している。
【０１３６】
一方、図２２に示すように、投影データ記憶装置３１は、第１の画像データＩ１−１に相当する投影データＰ−１と、第１の画像データＩ１−２に相当する投影データＰ−２とを記憶している。
【０１３７】
図２３は、［４］主の画像データ記憶装置要素６４ａにエラーが発生しない間のリアルタイム表示中のうち、図２２に示すタイミングより後のタイミングにおけるＸ線画像診断装置１０Ａの状態を示す概念図である。
【０１３８】
図２３は、［４］主の画像データ記憶装置要素６４ａにエラーが発生しない間のリアルタイム表示中のうち、図２２に示すタイミングより後のタイミング、例えば、Ａ／Ｄ変換回路３０から出力される投影データＰ−４の記録途中のタイミングにおけるＸ線画像診断装置１０Ａの状態を示している。図２３に示すタイミングでは、画像データ記録回路３３によって、投影データ記憶装置３１への記録が完了した最新の第１の画像データＩ１−３の主の画像データ記録装置要素６４ａへの記録途中であり、かつ、表示装置３６によって、二次画像処理回路３５による表示用の画像処理が完了した最新の第２の画像データＩ２−３が表示されているとする。
【０１３９】
図２３に示すように、主の画像データ記憶装置要素６４ａは、図２３に示すタイミングより前のタイミングで生成された全ての第１の画像データＩ１（第１の画像データＩ１−１及びＩ１−２）を記憶している。さらに、図２３は、画像データ記録回路３３によって第１の画像データＩ１−２が主の画像データ記憶装置要素６４ａに記録されたタイミングで削除許可通知発生部５２が発生する第１の画像データＩ１−２の削除許可通知を示している。また、図２３に示すように、表示装置３６は、第１の画像データＩ１−３の記録とほぼ同時に、第１の画像データＩ１−３を基に二次画像処理回路３５によって生成された第２の画像データＩ２−３を表示している。
【０１４０】
一方、図２３に示すように、直前のタイミング（図２２に示すタイミング）で発生された第１の画像データＩ１−１の削除許可通知に従って、投影データ削除制御部５３によって、第１の画像データＩ１−１に相当する投影データＰ−１が投影データ記憶装置３１から削除されている。よって、図２３に示すように、投影データ記憶装置３１は、未だ削除許可通知に従っていない第１の画像データＩ１−２に相当する投影データＰ−２と、第１の画像データＩ１−３に相当する投影データＰ−３とを記憶している。
【０１４１】
図２４乃至図２９は、削除許可通知を第１の画像データの単位で発生する場合の、［５］主の画像データ記憶装置要素６４ａのエラー発生以降のリアルタイム表示中の動作の一例を説明するための図である。
【０１４２】
図２４は、［５］主の画像データ記憶装置要素６４ａのエラー発生以降のリアルタイム表示中のうち、主の画像データ記憶装置要素６４ａにエラーが発生した所要のタイミングにおけるＸ線画像診断装置１０Ａの状態を示す概念図である。
【０１４３】
図２４は、［５］主の画像データ記憶装置要素６４ａのエラー発生以降のリアルタイム表示中のうち、主の画像データ記憶装置要素６４ａにエラーが発生した所要のタイミング、例えば、Ａ／Ｄ変換回路３０から出力される投影データＰ−５０の記録途中のタイミングにおけるＸ線画像診断装置１０Ａの状態を示している。図２４に示すタイミングでは、画像データ記録回路３３によって、投影データ記憶装置３１への記録が完了した最新の第１の画像データＩ１−４９の主の画像データ記録装置要素６４ａへの記録途中であり、かつ、表示装置３６によって、二次画像処理回路３５による表示用の画像処理が完了した最新の第２の画像データＩ２−４９が表示されているとする。第１の画像データＩ１−４９の主の画像データ記録装置要素６４ａへの記録途中で主の画像データ記録装置要素６４ａにエラーが発生すると、第１の画像データＩ１−４９の画像データ記録装置６４への記録は失敗となる。
【０１４４】
図２４に示すように、主の画像データ記憶装置要素６４ａは、図２４に示すタイミングより前に生成された全ての第１の画像データＩ１（第１の画像データＩ１−１乃至Ｉ１−４８）を記憶している。さらに、図２４は、画像データ記録回路３３によって第１の画像データＩ１−４８が主の画像データ記憶装置要素６４ａに記録されたタイミングで削除許可通知発生部５２が発生する第１の画像データＩ１−４８の削除許可通知を示している。また、図２４に示すように、表示装置３６は、第１の画像データＩ１−４９の記録途中で記録不能となっても、第１の画像データＩ１−４９を基に二次画像処理回路３５によって生成された第２の画像データＩ２−４９を表示している。
【０１４５】
一方、直前のタイミングで発生された第１の画像データＩ１−４７の削除許可通知に従って、投影データ削除制御部５３によって、第１の画像データＩ１−４７に相当する投影データＰ−４７が投影データ記憶装置３１から削除されている。よって、図２４に示すように、投影データ記憶装置３１は、未だ削除許可通知に従っていない第１の画像データＩ１−４８に相当する投影データＰ−４８と、第１の画像データＩ１−４９に相当する投影データＰ−４９とを記憶している。
【０１４６】
図２５は、［５］主の画像データ記憶装置要素６４ａのエラー発生以降のリアルタイム表示中のうち、図２４に示すタイミングより後のタイミングにおけるＸ線画像診断装置１０Ａの状態を示す概念図である。
【０１４７】
図２５は、［５］主の画像データ記憶装置要素６４ａのエラー発生以降のリアルタイム表示中のうち、図２４に示すタイミングと同一のタイミング、例えば、Ａ／Ｄ変換回路３０から出力される投影データＰ−５０の記録途中のタイミングにおけるＸ線画像診断装置１０Ａの状態を示している。
【０１４８】
主の画像データ記憶装置要素６４ａにエラーが発生することによって第１の画像データＩ１−４９の画像データ記憶装置６４への記録が失敗すると、図２５に示すように、再び第１の画像データＩ１−４９の画像データ記憶装置６４への記録が試みられる。第１の画像データＩ１−４９は、画像データ記憶装置６４の副の画像データ記憶装置要素６４ａに記録される。
【０１４９】
図２６は、［５］主の画像データ記憶装置要素６４ａのエラー発生以降のリアルタイム表示中のうち、主の画像データ記憶装置要素６４ａの復旧処理完了のタイミングにおけるＸ線画像診断装置１０Ａの状態を示す概念図である。
【０１５０】
図２６は、［５］主の画像データ記憶装置要素６４ａのエラー発生以降のリアルタイム表示中のうち、復旧処理部６５による主の画像データ記憶装置要素６４ａの復旧処理完了のタイミング、例えば、Ａ／Ｄ変換回路３０から出力される投影データＰ−５５の記録途中のタイミングにおけるＸ線画像診断装置１０Ａの状態を示している。図２６に示すタイミングでは、画像データ記録回路３３によって、投影データ記憶装置３１への記録が完了した最新の第１の画像データＩ１−５４の副の画像データ記録装置要素６４ｂへの記録途中であり、かつ、表示装置３６によって、二次画像処理回路３５による表示用の画像処理が完了した最新の第２の画像データＩ２−５４が表示されているとする。
【０１５１】
図２６に示すように、画像データ記憶装置６４は、図２６に示すタイミングより前のタイミングで生成された全ての第１の画像データＩ１（第１の画像データＩ１−１乃至Ｉ１−５３）を記憶している。具体的には、主の画像データ記憶装置要素６４ａは、第１の画像データＩ１−１乃至Ｉ１−４８を、副の画像データ記憶装置要素６４ｂは、第１の画像データＩ１−４９乃至Ｉ１−５３を記憶している。さらに、図２６は、画像データ記録回路３３によって第１の画像データＩ１−５３が副の画像データ記憶装置要素６４ｂに記録されたタイミングで削除許可通知発生部５２が発生する第１の画像データＩ１−５３の削除許可通知を示している。また、図２６に示すように、表示装置３６は、第１の画像データＩ１−５４の記録とほぼ同時に、第１の画像データＩ１−５４を基に二次画像処理回路３５によって生成された第２の画像データＩ２−５４を表示している。
【０１５２】
一方、図２６に示すように、投影データ記憶装置３１は、未だ削除許可通知に従っていない第１の画像データＩ１−５３及びＩ１−５４に相当する投影データＰ−５３及びＰ−５４を記憶している。
【０１５３】
図２７は、［５］主の画像データ記憶装置要素６４ａのエラー発生以降のリアルタイム表示中のうち、図２６に示すタイミングより後のタイミングにおけるＸ線画像診断装置１０Ａの状態を示す概念図である。
【０１５４】
図２７は、［５］主の画像データ記憶装置要素６４ａのエラー発生以降のリアルタイム表示中のうち、図２６に示すタイミングより後のタイミング、例えば、Ａ／Ｄ変換回路３０から出力される投影データＰ−５６の記録途中のタイミングにおけるＸ線画像診断装置１０Ａの状態を示している。図２７に示すタイミングでは、画像データ記録回路３３によって、投影データ記憶装置３１への記録が完了した最新の第１の画像データＩ１−５５の主の画像データ記憶装置要素６４ａへの記録途中であり、かつ、表示装置３６によって、二次画像処理回路３５による表示用の画像処理が完了した最新の第２の画像データＩ２−５５が表示されているとする。なお、主の画像データ記憶装置要素６４ａの復旧処理完了後も、引き続き、第１の画像データＩ１−５５以降の第１の画像データＩ１を副の画像データ記憶装置要素６４ｂに記録するように構成してもよい。
【０１５５】
図２７に示すように、画像データ記憶装置６４は、図２７に示すタイミングより前のタイミングで生成された全ての第１の画像データＩ１（第１の画像データＩ１−１乃至Ｉ１−５４）を記憶している。さらに、図２７は、画像データ記録回路３３によって第１の画像データＩ１−５４が副の画像データ記憶装置要素６４ｂに記録されたタイミングで削除許可通知発生部５２が発生する第１の画像データＩ１−５４の削除許可通知を示している。また、図２７に示すように、表示装置３６は、第１の画像データＩ１−５５の記録とほぼ同時に、第１の画像データＩ１−５５を基に二次画像処理回路３５によって生成された第２の画像データＩ２−５５を表示している。
【０１５６】
一方、図２７に示すように、投影データ記憶装置３１は、未だ削除許可通知に従っていない第１の画像データＩ１−５４及びＩ１−５５に相当する投影データＰ−５４及びＰ−５５を記憶している。
【０１５７】
図２８は、［５］主の画像データ記憶装置要素６４ａのエラー発生以降のリアルタイム表示中のうち、図２７に示すタイミングより後のタイミングにおけるＸ線画像診断装置１０Ａの状態を示す概念図である。
【０１５８】
図２８は、［５］主の画像データ記憶装置要素６４ａのエラー発生以降のリアルタイム表示中のうち、図２７に示すタイミングより後のタイミング、例えば、Ａ／Ｄ変換回路３０から出力される投影データＰ−５７の記録途中のタイミングにおけるＸ線画像診断装置１０Ａの状態を示している。図２８に示すタイミングでは、画像データ記録回路３３によって、投影データ記憶装置３１への記録が完了した最新の第１の画像データＩ１−５６の記録途中であり、かつ、表示装置３６によって、二次画像処理回路３５による表示用の画像処理が完了した最新の第２の画像データＩ２−５６が表示されているとする。
【０１５９】
図２８に示すように、画像データ記憶装置６４は、図２８に示すタイミングより前のタイミングで生成された全ての第１の画像データＩ１（第１の画像データＩ１−１乃至Ｉ１−５５）を記憶している。さらに、図２８は、画像データ記録回路３３によって第１の画像データＩ１−５５が主の画像データ記憶装置要素６４ａに記録されたタイミングで削除許可通知発生部５２が発生する第１の画像データＩ１−５５の削除許可通知を示している。また、図２８に示すように、表示装置３６は、第１の画像データＩ１−５６の記録とほぼ同時に、第１の画像データＩ１−５６を基に二次画像処理回路３５によって生成された第２の画像データＩ２−５６を表示している。
【０１６０】
一方、図２８に示すように、投影データ記憶装置３１は、未だ削除許可通知に従っていない第１の画像データＩ１−５５及びＩ１−５６に相当する投影データＰ−５５及びＰ−５６を記憶している。
【０１６１】
図２９は、［５］主の画像データ記憶装置要素６４ａのエラー発生以降のリアルタイム表示終了中のうち、最終的なＸ線画像診断装置１０Ａの状態を示す概念図である。
【０１６２】
図２９は、［５］主の画像データ記憶装置要素６４ａのエラー発生以降のリアルタイム表示終了中のうち、最終的なＸ線画像診断装置１０Ａの状態を示している。図２８に示すタイミングの後、第１の画像データＩ１−５７乃至Ｉ１−９９の記録を順次行ない、図２９に示すように、画像データ記憶装置６４は、全ての第１の画像データＩ１（第１の画像データＩ１−１乃至Ｉ１−９９）を記憶している。具体的には、主の画像データ記憶装置要素６４ａは、第１の画像データＩ１−１乃至Ｉ１−４８と、第１の画像データＩ１−５５乃至Ｉ１−９９とを、副の画像データ記憶装置要素６４ｂは、第１の画像データＩ１−４９乃至Ｉ１−５４をそれぞれ記憶している。
【０１６３】
一方、図２９に示すように、投影データ記憶装置３１は、投影データＰを全く記憶してない。
【０１６４】
図３０乃至図３２は、削除許可通知をカットの単位で発生する場合の、［４］主の画像データ記憶装置要素６４ａにエラーが発生しない間のリアルタイム表示中の動作の一例を説明するための図である。
【０１６５】
図３０は、［４］主の画像データ記憶装置要素６４ａにエラーが発生しない間のリアルタイム表示中のうち、図２１に示すタイミングより後のタイミングにおけるＸ線画像診断装置１０Ａの状態を示す概念図である。図３０は、第１の画像データＩ１の単位で削除許可通知を発生する場合を説明した図２２の変形例として、“１０”個の第１の画像データＩ１によって構成されるカット単位で削除許可通知を発生する場合を示している。
【０１６６】
図３０は、［４］主の画像データ記憶装置要素６４ａにエラーが発生しない間のリアルタイム表示中のうち、図２１に示すタイミングより後のタイミング、例えば、Ａ／Ｄ変換回路３０から出力される投影データＰ−３の記録途中のタイミングにおけるＸ線画像診断装置１０Ａの状態を示している。図３０に示すタイミングでは、画像データ記録回路３３によって、投影データ記憶装置３１への記録が完了した最新の第１の画像データＩ１−２の記録途中であり、かつ、表示装置３６によって、二次画像処理回路３５による表示用の画像処理が完了した最新の第２の画像データＩ２−２が表示されているとする。
【０１６７】
図３０に示すように、主の画像データ記憶装置要素６４ａは、図３０に示すタイミングより前のタイミングで生成された全ての第１の画像データＩ１（第１の画像データＩ１−１）を記憶している。また、図３０に示すように、表示装置３６は、第１の画像データＩ１−２の記録とほぼ同時に、第１の画像データＩ１−２を基に二次画像処理回路３５によって生成された第２の画像データＩ２−２を表示している。
【０１６８】
一方、図３０に示すように、投影データ記憶装置３１は、第１の画像データＩ１−１に相当する投影データＰ−１と、第１の画像データＩ１−２に相当する投影データＰ−２とを記憶している。
【０１６９】
なお、図３０に示すタイミングでは、画像データ記憶装置６４には１カット目の一部を構成する“１”個の第１の画像データＩ１−１だけしか記憶されていないので、削除許可通知発生部５２は、１カット目の削除許可通知を未だ発生していない。
【０１７０】
図３１は、［４］主の画像データ記憶装置要素６４ａにエラーが発生しない間のリアルタイム表示中のうち、図３０に示すタイミングより後のタイミングにおけるＸ線画像診断装置１０Ａの状態を示す概念図である。
【０１７１】
図３１は、［４］主の画像データ記憶装置要素６４ａにエラーが発生しない間のリアルタイム表示中のうち、図３０に示すタイミングより後のタイミング、例えば、Ａ／Ｄ変換回路３０から出力される投影データＰ−１２の記録途中のタイミングにおけるＸ線画像診断装置１０Ａの状態を示している。図３１に示すタイミングでは、画像データ記録回路３３によって、投影データ記憶装置３１への記録が完了した最新の第１の画像データＩ１−１１の記録途中であり、かつ、表示装置３６によって、二次画像処理回路３５による表示用の画像処理が完了した最新の第２の画像データＩ２−１１が表示されているとする。
【０１７２】
図３１に示すように、主の画像データ記憶装置要素６４ａは、図３１に示すタイミングより前のタイミングで生成された全ての第１の画像データＩ１（第１の画像データＩ１−１乃至Ｉ１−１０）を記憶している。さらに、図３１は、画像データ記録回路３３によって第１の画像データＩ１−１０が主の画像データ記憶装置要素６４ａに記録されたタイミングで削除許可通知発生部５２が発生する１カット目（第１の画像データＩ１−１乃至Ｉ１−１０）の削除許可通知を示している。また、図３１に示すように、表示装置３６は、第１の画像データＩ１−１１の記録とほぼ同時に、第１の画像データＩ１−１１を基に二次画像処理回路３５によって生成された第２の画像データＩ２−１１を表示している。
【０１７３】
一方、図３１に示すように、投影データ記憶装置３１は、１カット目に相当する投影データＰ−１乃至Ｐ−１０と、２カット目の一部としての第１の画像データＩ１−１１に相当する投影データＰ−１１とを記憶している。
【０１７４】
図３２は、［４］主の画像データ記憶装置要素６４ａにエラーが発生しない間のリアルタイム表示中のうち、図３１に示すタイミングより後のタイミングにおけるＸ線画像診断装置１０Ａの状態を示す概念図である。
【０１７５】
図３２は、［４］主の画像データ記憶装置要素６４ａにエラーが発生しない間のリアルタイム表示中のうち、図３１に示すタイミングより後のタイミング、例えば、Ａ／Ｄ変換回路３０から出力される投影データＰ−１３の記録途中のタイミングにおけるＸ線画像診断装置１０Ａの状態を示している。図３２に示すタイミングでは、画像データ記録回路３３によって、投影データ記憶装置３１への記録が完了した最新の第１の画像データＩ１−１２の記録途中であり、かつ、表示装置３６によって、二次画像処理回路３５による表示用の画像処理が完了した最新の第２の画像データＩ２−１２が表示されているとする。
【０１７６】
図３２に示すように、主の画像データ記憶装置要素６４ａは、図３２に示すタイミングより前のタイミングで生成された全ての第１の画像データＩ１（第１の画像データＩ１−１乃至Ｉ１−１１）を記憶している。また、図３２に示すように、表示装置３６は、第１の画像データＩ１−１２の記録とほぼ同時に、第１の画像データＩ１−１２を基に二次画像処理回路３５によって生成された第２の画像データＩ２−１２を表示している。
【０１７７】
一方、図３２に示すように、図３１に示すタイミングで発生された１カット目の削除許可通知に従って、１カット目に相当する投影データＰ−１乃至Ｐ−１０が投影データ記憶装置３１から削除されている。よって、図３２に示すように、投影データ記憶装置３１は、未だ削除許可通知に従っていない第１の画像データＩ１−１１に相当する投影データＰ−１１と、第１の画像データＩ１−１２に相当する投影データＰ−１２とを記憶している。
【０１７８】
なお、図３２に示すタイミングでは、画像データ記憶装置６４には、２カット目の一部を構成する“１”個の第１の画像データＩ１−１１だけしか記憶されていないので、２カット目の削除許可通知は未だ発生していない。
【０１７９】
ここで、削除許可通知をカットの単位で発生する場合における［５］の動作は、削除許可通知を第１の画像データの単位で発生する場合における［５］の動作（図２４乃至図２９）に準じるものとする。
【０１８０】
第２実施形態のＸ線画像診断装置１０Ａによると、投影データ記憶装置３１によって、画像データ記憶装置３３への記録が完了した第１の画像データＩ１に相当する投影データＰを保持することができる。よって、リアルタイム表示中に主の画像データ記憶装置要素６４ａにエラーが発生して主の画像データ記憶装置要素６４ａの復旧処理を自動的に行なっても、リアルタイム表示を継続しながら、主の画像データ記憶装置要素６４ａのエラー発生から復旧処理終了までに記録されるべき第１の画像データＩ１−４９乃至Ｉ１−５４に相当する投影データＰ−４９乃至Ｐ−５４を副の画像データ記憶装置要素６４ｂに記憶させることができる。したがって、Ｘ線画像診断装置１０Ａによると、リアルタイム表示中に主の画像データ記憶装置要素６４ａにエラーが発生した場合でも、主の画像データ記憶装置要素６４ａのエラー発生から復旧処理終了までに記録されるべき第１の画像データＩ１−４９乃至Ｉ１−５４に相当する投影データＰ−４９乃至Ｐ−５４を取得するために再度の撮像を行なう必要がないので、患者への余剰のＸ線被曝を防止することができる。
【図面の簡単な説明】
【０１８１】
【図１】本発明に係るＸ線画像診断装置の第１実施形態のハードウェア構成を示す概略図。
【図２】図１に示すＤＦ装置のハードウェア構成の一部と、ＤＦ装置の機能とを併せて示すブロック図。
【図３】削除許可通知を第１の画像データの単位で発生する場合の、［１］一次画像処理回路にエラーが発生しない間のリアルタイム表示中の動作の一例を説明するための図。
【図４】削除許可通知を第１の画像データの単位で発生する場合の、［１］一次画像処理回路にエラーが発生しない間のリアルタイム表示中の動作の一例を説明するための図。
【図５】削除許可通知を第１の画像データの単位で発生する場合の、［１］一次画像処理回路にエラーが発生しない間のリアルタイム表示中の動作の一例を説明するための図。
【図６】削除許可通知を第１の画像データの単位で発生する場合の、［２］一次画像処理回路のエラー発生以降のリアルタイム表示中の動作の一例を説明するための図。
【図７】削除許可通知を第１の画像データの単位で発生する場合の、［２］一次画像処理回路のエラー発生以降のリアルタイム表示中の動作の一例を説明するための図。
【図８】削除許可通知を第１の画像データの単位で発生する場合の、［２］一次画像処理回路のエラー発生以降のリアルタイム表示中の動作の一例を説明するための図。
【図９】削除許可通知を第１の画像データの単位で発生する場合の、［２］一次画像処理回路のエラー発生以降のリアルタイム表示中の動作の一例を説明するための図。
【図１０】削除許可通知を第１の画像データの単位で発生する場合の、［２］一次画像処理回路のエラー発生以降のリアルタイム表示中の動作の一例を説明するための図。
【図１１】削除許可通知を第１の画像データの単位で発生する場合の、［２］一次画像処理回路のエラー発生以降のリアルタイム表示中の動作の一例を説明するための図。
【図１２】削除許可通知を第１の画像データの単位で発生する場合の、［３］一次画像処理回路のエラー発生以降のリアルタイム表示終了後の動作の一例を説明するための図。
【図１３】削除許可通知を第１の画像データの単位で発生する場合の、［３］一次画像処理回路のエラー発生以降のリアルタイム表示終了後の動作の一例を説明するための図。
【図１４】削除許可通知を第１の画像データの単位で発生する場合の、［３］一次画像処理回路のエラー発生以降のリアルタイム表示終了後の動作の一例を説明するための図。
【図１５】削除許可通知を第１の画像データの単位で発生する場合の、［３］一次画像処理回路のエラー発生以降のリアルタイム表示終了後の動作の一例を説明するための図。
【図１６】削除許可通知をカットの単位で発生する場合の、［１］一次画像処理回路にエラーが発生しない間のリアルタイム表示中の動作の一例を説明するための図。
【図１７】削除許可通知をカットの単位で発生する場合の、［１］一次画像処理回路にエラーが発生しない間のリアルタイム表示中の動作の一例を説明するための図。
【図１８】削除許可通知をカットの単位で発生する場合の、［１］一次画像処理回路にエラーが発生しない間のリアルタイム表示中の動作の一例を説明するための図。
【図１９】本発明に係るＸ線画像診断装置の第２実施形態のハードウェア構成を示す概略図。
【図２０】図１９に示すＤＦ装置のハードウェア構成の一部と、ＤＦ装置の機能とを併せて示すブロック図。
【図２１】削除許可通知を第１の画像データの単位で発生する場合の、［４］主の画像データ記憶装置要素にエラーが発生しない間のリアルタイム表示中の動作の一例を説明するための図。
【図２２】削除許可通知を第１の画像データの単位で発生する場合の、［４］主の画像データ記憶装置要素にエラーが発生しない間のリアルタイム表示中の動作の一例を説明するための図。
【図２３】削除許可通知を第１の画像データの単位で発生する場合の、［４］主の画像データ記憶装置要素にエラーが発生しない間のリアルタイム表示中の動作の一例を説明するための図。
【図２４】削除許可通知を第１の画像データの単位で発生する場合の、［５］主の画像データ記憶装置要素のエラー発生以降のリアルタイム表示中の動作の一例を説明するための図。
【図２５】削除許可通知を第１の画像データの単位で発生する場合の、［５］主の画像データ記憶装置要素のエラー発生以降のリアルタイム表示中の動作の一例を説明するための図。
【図２６】削除許可通知を第１の画像データの単位で発生する場合の、［５］主の画像データ記憶装置要素のエラー発生以降のリアルタイム表示中の動作の一例を説明するための図。
【図２７】削除許可通知を第１の画像データの単位で発生する場合の、［５］主の画像データ記憶装置要素のエラー発生以降のリアルタイム表示中の動作の一例を説明するための図。
【図２８】削除許可通知を第１の画像データの単位で発生する場合の、［５］主の画像データ記憶装置要素のエラー発生以降のリアルタイム表示中の動作の一例を説明するための図。
【図２９】削除許可通知を第１の画像データの単位で発生する場合の、［５］主の画像データ記憶装置要素のエラー発生以降のリアルタイム表示中の動作の一例を説明するための図。
【図３０】削除許可通知をカットの単位で発生する場合の、［４］主の画像データ記憶装置要素にエラーが発生しない間のリアルタイム表示中の動作の一例を説明するための図。
【図３１】削除許可通知をカットの単位で発生する場合の、［４］主の画像データ記憶装置要素にエラーが発生しない間のリアルタイム表示中の動作の一例を説明するための図。
【図３２】削除許可通知をカットの単位で発生する場合の、［４］主の画像データ記憶装置要素にエラーが発生しない間のリアルタイム表示中の動作の一例を説明するための図。
【符号の説明】
【０１８２】
１０，１０Ａ  Ｘ線画像診断装置
１１  撮像系
１２，１２Ａ  ＤＦ装置
３０  Ａ／Ｄ変換回路
３１  投影データ記憶装置
３２  一次画像処理回路
３３  画像データ記録回路
３４，６４  画像データ記憶装置
３５  二次画像処理回路
３６  表示装置
５２  削除許可通知発生部
５３  投影データ削除制御部
５４，６５  復旧処理部
５５  画像処理指示部
６４ａ，６４ｂ  画像データ記憶装置要素
６６  画像記録指示部
【図１】
2008284090.tif 000003
【図２】
2008284090.tif 000004
【図３】
2008284090.tif 000005
【図４】
2008284090.tif 000006
【図５】
2008284090.tif 000007
【図６】
2008284090.tif 000008
【図７】
2008284090.tif 000009
【図８】
2008284090.tif 000010
【図９】
2008284090.tif 000011
【図１０】
2008284090.tif 000012
【図１１】
2008284090.tif 000013
【図１２】
2008284090.tif 000014
【図１３】
2008284090.tif 000015
【図１４】
2008284090.tif 000016
【図１５】
2008284090.tif 000017
【図１６】
2008284090.tif 000018
【図１７】
2008284090.tif 000019
【図１８】
2008284090.tif 000020
【図１９】
2008284090.tif 000021
【図２０】
2008284090.tif 000022
【図２１】
2008284090.tif 000023
【図２２】
2008284090.tif 000024
【図２３】
2008284090.tif 000025
【図２４】
2008284090.tif 000026
【図２５】
2008284090.tif 000027
【図２６】
2008284090.tif 000028
【図２７】
2008284090.tif 000029
【図２８】
2008284090.tif 000030
【図２９】
2008284090.tif 000031
【図３０】
2008284090.tif 000032
【図３１】
2008284090.tif 000033
【図３２】
2008284090.tif 000034